(57)【要約】【課題】給湯器の機能が増える毎に動作モードや設定モード用に専用スイッチを設ける必要があるり、スイッチ数を増やせばスイッチの実装を考慮しリモコン自体を大きくしたり、操作頻度の多い・少ないを考慮したスイッチの配置が必要で、スイッチ操作が複雑化したり、コストアップになるという課題を有していた。【解決手段】所定のスイッチ操作により各種設定モード或いは動作モードを選択するモード選択手段４と、前記モード選択手段４に応じた専用モード表示を行うモード表示手段３と、前記選択モード手段４によって選択されたモードにおいて所定範囲の設定値を選択する設定値選択手段６と、前記設定値選択手段６の設定値を確定する設定値確定手段７とを備える。【選択図】  図１
2004347287.tif 000002
【特許請求の範囲】
【請求項１】
給湯器本体の動作を表示する表示部と、給湯器本体の動作や設定値を選択する操作部と、給湯器本体との情報を送受信する通信部とを有する遠隔操作リモコンにおいて、所定のスイッチ操作により各種設定モード或いは動作モードを選択するモード選択手段と、前記モード選択手段に応じた専用のモード表示のみを行うモード表示手段と、前記選択モード手段によって選択されたモードにおいて所定範囲の設定値を選択する設定値選択手段と、前記設定値選択手段の設定値を確定する設定値確定手段と、前記設定値確定手段による確定した設定値を記憶する設定値記憶手段を備えてなる給湯器の遠隔操作リモコン。
【請求項２】
モード選択手段は、モード選択操作の受付確定に際して、モード選択の開始操作の受付確定時間と、モード選択を開始以降のモード切替え操作の受付確定時間を区別し、モード切替え操作の受付確定時間よりも開始操作の受付確定時間を長くして、かつ、モード選択の開始操作の受付確定時間は運転スイッチの入り状態と切り状態でそれぞれ別に設けた請求項１記載の給湯器の遠隔操作リモコン。
【請求項３】
モード選択手段は、操作部に設けた運転スイッチの入り状態と切り状態でそれぞれ別なモード選択の項目を設け、操作頻度の低い設定モードは運転スイッチの切り状態とし、操作頻度の高い設定モードは運転スイッチの入り状態とした請求項１記載の給湯器の遠隔操作リモコン。
【請求項４】
モード表示手段は、モード選択手段によって所定のモードが選択されている場合、モード専用の表示のみを行う請求項１記載の給湯器の遠隔操作リモコン。
【請求項５】
モード表示手段は、モード選択操作或いは設定値選択操作の最終操作から所定時間をカウントする表示制限タイマ手段を有し、前記表示制限タイマ手段によって所定時間が経過すると選択されたモード選択を終了し、設定値を確定する請求項１記載の給湯器の遠隔操作リモコン。
【発明の詳細な説明】
【０００１】
【発明の属する技術分野】
本発明は、各種設定モード或いは動作モードを選択するモード選択手段と設定値選択手段を有する給湯器を遠隔操作するリモコンに関するものである。
【０００２】
【従来の技術】
従来、この種の遠隔操作リモコンは、機能毎に専用のスイッチを備えてる。
【０００３】
例えば、給湯温度を設定するたにダウンスイッチとアップスイッチを有し、また、ふろ温度を設定するためにダウンスイッチとアップスイッチを有している。
【０００４】
一方、近年の給湯器リモコンは多機能が要求されており、例えば音声ガイドを行なう機能やインターホン機能といったさまざまな機能が付加価値として搭載され、例えば音量の切替え設定や音声ガイドの有無設定など搭載する機能に関して設定値を設定変更できるよう要求されている（例えば、特許文献１参照）。
【０００５】
【特許文献１】
特開平１０−１１２８９０号公報（第１図）
【０００６】
【発明が解決しようとする課題】
しかしながら上記従来の構成では、機能が増える毎に動作モードや設定モード用に専用スイッチを設ける必要があり、スイッチ数を増やせばスイッチの実装を考慮し、リモコン自体を大きくしたり、操作頻度の多い・少ないを考慮したスイッチの配置が必要で、スイッチ操作が複雑化したり、コストアップになるという課題を有していた。
【０００７】
本発明は上記従来の課題を解決するもので、スイッチ数を減らして動作モードや設定モードを増やすし、使い勝手を向上した遠隔操作リモコンを提供することを目的とする。
【０００８】
【課題を解決するための手段】
上記従来の課題を解決するため本発明の遠隔操作リモコンは、所定のスイッチ操作により各種設定モード或いは動作モードを選択するモード選択手段と、前記モード選択手段に応じた専用のモード表示のみを行うモード表示手段と、前記選択モード手段によって選択されたモードにおいて所定範囲の設定値を選択する設定値選択手段と、前記設定値選択手段の設定値を確定する設定値確定手段とを有したものである。
【０００９】
上記発明によれば、スイッチ数を増やすことなく、新たな機能や設定モードを容易に増やすことが可能となる。
【００１０】
【発明の実施の形態】
請求項１に記載の発明は、所定のスイッチ操作により各種設定モード或いは動作モードを選択するモード選択手段によって所定の設定を行うモードを選択することにより、モード表示手段が前記モード選択手段に応じた専用のモード表示のみを行い、設定値選択手段によって、前記選択モード手段で選択したモードの所定範囲の設定値を設定変更でき、設定値確定手段によって前記設定値選択手段の設定値を確定することができ、限られたスイッチ数で多くの動作モードや設定モードの切り替えと設定変更ができる。
【００１１】
請求項２に記載の発明は、特に、請求項１のモード選択手段において、モード選択操作の受付確定に際して、モード選択の開始操作の受付確定時間と、モード選択を開始以降のモード切替え操作の受付確定時間を区別し、モード切替え操作の受付確定時間よりも開始操作の受付確定時間を長くして、かつ、モード選択の開始操作の受付確定時間は運転スイッチの入り状態と切り状態でそれぞれ別に設けることにより、使用者が誤ってモード選択スイッチを操作した場合でもスイッチ操作の受付が確定しなくなり、誤操作防止をすることができる。
【００１２】
請求項３に記載の発明は、特に、請求項１のモード選択手段を運転スイッチの入り状態と切り状態でそれぞれ別なモード選択の項目を設けて、操作頻度の低い設定モードは運転スイッチが切り状態に、操作頻度が多い設定モードは運転スイッチの入り状態とすることで、設定モードが多い場合でも操作頻度を考慮でき使い勝手を向上することができる。
【００１３】
請求項４に記載の発明は、特に、請求項１のモード表示手段をモード選択手段によって所定のモードが選択されている場合、選択されたモード専用の表示のみを行うようすることで、他の不要な表示を点灯せず、設定モードに必要な表示のみ表示できるので操作性を向上することができる。
【００１４】
請求項５に記載の発明は、特に、請求項１のモード表示手段は、モード選択操作或いは設定値選択操作の最終操作から所定時間をカウントする表示制限タイマ手段を有し、前記表示制限タイマ手段によって所定時間が経過すると選択されたモード選択を終了し、設定値を確定することにより、操作忘れ等で設定値の変更を確定し忘れることがなく、確実に設定値を確定できる。
【００１５】
【実施例】
以下、本発明の実施例について図面を参照しながら説明する。
【００１６】
（実施例１）
図１は、本発明の実施例１における遠隔操作リモコンの外観図を示すものである。
【００１７】
図１において、１は遠隔操作リモコン（以下、リモコンという）、２は運転スイッチ、３は例えば液晶やＬＥＤ、蛍光管をデバイスとした表示部、４はモード選択手段としてなるメニュースイッチ、５は設定値選択手段としてなる例えば設定値を小さな値に変更する方向のダウンスイッチ、６は同設定値選択手段としてなる例えば設定値を大きな値に変更する方向のアップスイッチ、７は前記アップスイッチ６やダウンスイッチ５によって設定変更した設定値を確定する設定値確定手段としてなる確定スイッチである。
【００１８】
また、図２は運転スイッチ２の入り状態の場合と切り状態の場合のメニュースイッチ４の操作によって表示される設定モードの一覧表である。
【００１９】
以上のように構成された遠隔操作リモコン１について、以下その動作、作用を説明する。
【００２０】
まず、運転スイッチ２が入り状態の場合、メニュースイッチ４を操作する度に図２に示したモード順序１、順序２、順序３、順序４、順序５と設定モードが切替わり、順序５の次にメニュースイッチ４を操作すると一旦メニューモードを抜け、通常モードに戻る。運転スイッチが切りの状態でも同様である。
【００２１】
例えば、メニュースイッチ４を２回操作した場合、順序２の「ふろ温度設定」モードに切替わる。このとき表示部３はふろ温度設定モードに関係する表示を点灯し、関係しない表示を全て消灯し、ふろ温度設定モード中であることを表示する。表示のみではなくメニュースイッチ４を操作するその設定モードを表現する音声ガイドを報知すれば使用者に設定モードの意味を注意喚起することができる。
【００２２】
次にダウンスイッチ５とアップスイッチ６によって好みのふろ温度を上げ下げ操作して設定温度を変更する。そして、設定変更したふろ温度を確定スイッチ７を操作して確定する。
【００２３】
以上のように、本実施例においては、メニュースイッチを操作することにより、予め決められた設定モード順序に従って設定モードを切替えることができ、最低限のスイッチ構成で多くの設定モードを搭載することができ、高機能化や付加価値を容易に追加することができる。
【００２４】
また、運転スイッチが入りの状態と切りの状態でモード選択を区別すれば、操作頻度の少ないものは運転スイッチが切り状態で、操作頻度の多いものは運転スイッチが入り状態で設定変更することができ、単にモード選択数を増やすだけでなく、操作頻度を考慮したグループ分けが可能になり操作性が向上できる。
【００２５】
またモード選択が開始すると選択した設定モードに関係する表示のみを点灯するため、設定モードの意味を十分理解することができ、更に使い勝手を向上することができる。
【００２６】
（実施例２）
基本構成は実施例１と同様であり、相違点のみ説明する。
【００２７】
表示部３が通常の表示中にメニュースイッチ４を操作してモード選択の開始操作を行なう場合、モード選択手段（図示せず）には、モード選択の開始操作の受付確定時間と、モード選択を開始以降のモード切替え操作の受付確定時間を備えた受付確定手段によって、モード選択の開始操作であることを認識し、開始操作の受付確定時間を経てモード選択操作を受付け、モード選択が開始する。このときの受付確定時間は例えば運転スイッチにような通常のスイッチ操作の受付確定時間よりも長くしてあるため、簡単にモード選択を開始できないようにすることができ、誤操作を防止することができる。
【００２８】
再度メニュースイッチ４を操作すると前記受付確定手段が今度はモード切替え操作であることを認識し、切替え操作の受付時間を経て設定モードを次のモードに切替える。このときの受付確定時間は例えば運転スイッチにような通常のスイッチ操作の受付確定時間と同じ時間であるため、一度モード選択が開始した以降は通常のスイッチ操作と同様な感覚で設定モードを切替えることができる。
【００２９】
前記開始操作の受付確定時間と切替え操作の受付確定時間の２つを有することは、一度モード選択が開始した以降にメニュースイッチ４をモード選択数よりも多い回数だけ操作した場合でも、図２の順序５の後のメニュースイッチ４の操作により一旦モード選択を終了することで、メニュースイッチ４の受付確定時間が再度開始操作の受付確定時間に切替わり、誤って即モード選択が開始することも防止でき、素早い操作を行なってもモード選択の終わりを認識しすることができ、使い勝手が向上できる。
【００３０】
（実施例３）
実施例１と実施例２の相違点のみ説明する。
【００３１】
メニュースイッチ４を操作してモード選択が開始した以降、表示部３は選択された設定モードの表示を行なうが、もしもそれ以降スイッチ操作が行なわれなかった場合を想定し、モード表示手段には、モード選択操作或いは設定値選択操作の最終操作から所定時間をカウントする表示制限タイマ手段（図示せず）を有し、前記表示制限タイマ手段によって所定時間が経過すると選択された設定モードを終了し、変更された設定値を確定することができので、スイッチ操作を忘れても確実に設定値を確定できる。
【００３２】
【発明の効果】
以上のように、発明によれば、モード選択手段のメニュースイッチと、設定値選択手段のダウンスイッチとアップスイッチと、設定値確定手段の確定スイッチの最低限４つのスイッチを搭載することで、多くの動作モードや設定モードの開始や停止、任意の設定値への変更が容易に行なうことができ、スイッチ数の削減によるコストダウンやメニュー項目の追加による新規機能の追加が容易にできする。
【図面の簡単な説明】
【図１】本発明の実施例１における遠隔操作リモコンの外観図
【図２】同遠隔操作リモコンのモード選択の項目を示す図
【符号の説明】
１  遠隔操作リモコン
３  表示部（モード表示手段）
４  メニュースイッチ（モード選択手段）
５  ダウンスイッチ（設定値選択手段）
６  アップスイッチ（設定値選択手段）
７  確定スイッチ（設定値確定手段）
【図１】
2004347287.tif 000003
【図２】
2004347287.tif 000004